(57)【要約】【課題】強度があって軽く、水中に漂う時間が長く、特に流れの少ない管理釣り池や湖で好適で、釣果が得られるルアーを提供するものである。【解決手段】平面が横長楕円形で、側面がアーチ状に加工した透明なプラスチック片３の表面に、これと同形状に加工した天然の貝殻２を、接着剤を介して一体に接合し、この長手方向に沿った両端側に通し孔４、４を開孔し、ここにリング５を通したルアー１で、比重が軽く水中にキャスティングしてゆっくり引き寄せると、水中に漂っている時間が長く、魚が食い付く時間を長くしたものでる。【選択図】  図１
0003190790.tif 000002
【実用新案登録請求の範囲】
【請求項１】
所定の形状に加工した透明または半透明のプラスチック片の、表面または表面と裏面に、表面を研磨して前記プラスチック片と同形状に加工した貝殻を一体に接合したことを特徴とするルアー。
【請求項２】
プラスチック片と一体に接合した貝殻が、側面アーチ状または側面Ｓ字状に形成されていることを特徴とする請求項１記載のルアー。
【請求項３】
表面を研磨した複数の貝殻片を、プラスチック片の表面に面状に配置して一体に接合したことを特徴とする請求項１記載のルアー。
【考案の詳細な説明】
【技術分野】
【０００１】
本考案は、魚釣りに用いるルアーの改良に関するものである。
【背景技術】
【０００２】
魚釣りで使用する生き餌の代わりにルアー（疑似餌）が多く使用されるようになってきた。このルアーは、光の反射やきらめきが複雑な動きをして小魚や昆虫が水中を漂っているように、魚に生きた餌のように見せて魚を釣るものである。このルアーの材質としては魚種に応じて種々のものがあるが、金属製のルアーは水中に沈む際にキラキラと輝き、魚の好奇心をさそう効果がある。しかしながら自然の模様や光沢、キラメキがないので、近年はアワビや夜光貝等の真珠光沢のある貝殻を用いたルアー（特許文献１）が開発されている。
【０００３】
しかしながら、これは貝殻を所定の形状に切り出しただけで、強度が弱く耐久性に乏しい問題があった。このため貝殻の裏面に金属板を一体に接合したルアーも市販されている。この金属板を一体に接合した貝殻ルアーは、強度と耐久性に優れているが重量が重く、水中にキャスティングした時に、直ぐに沈んでしまい水中に漂っている時間が短く、特に流れの少ない管理釣り池や湖では、満足できる釣果が得られない問題があった。
【先行技術文献】
【特許文献】
【０００４】
【特許文献１】特開平８−２３８３０号公報
【考案の概要】
【考案が解決しようとする課題】
【０００５】
本考案は上記問題を改善し、強度があって軽く、水中に漂う時間が長く、特に流れの少ない管理釣り池や湖で好適で、釣果が得られるルアーを提供するものである。
【課題を解決するための手段】
【０００６】
本考案の請求項１記載のルアーは、所定の形状に加工した透明または半透明のプラスチック片の、表面または表面と裏面に、表面を研磨して前記プラスチック片と同形状に加工した貝殻を一体に接合したことを特徴とするものである。
【０００７】
本考案の請求項２記載のルアーは、請求項１において、プラスチック片と一体に接合した貝殻が、側面アーチ状または側面Ｓ字状に形成されていることを特徴とするものである。
【０００８】
本考案の請求項３記載のルアーは、請求項１において、表面を研磨した複数の貝殻片を、プラスチック片の表面に面状に配置して一体に接合したことを特徴とするものである。
【考案の効果】
【０００９】
本考案に係る請求項１記載のルアーによれば、水中にキャスティングし、ゆっくり引き寄せると、プラスチック片の表面または表面と裏面に貼り付けた天然の貝殻が光を反射して、キラキラと輝きながら小魚が泳いでいるように見え、魚の好奇心を引き立てる。更にルアーは貝殻の裏面または中間にプラスチック片を貼り付けてあるので、全体の比重が軽くなり、水中にキャスティングしてゆっくり引き寄せると、水中に漂っている時間が長く、魚が食い付く時間が長くなり、特に流れの少ない管理釣り池や湖での釣りに好適である。
【００１０】
また請求項２記載のルアーによれば、プラスチック片と一体に接合した貝殻が、側面アーチ状または側面Ｓ字状に形成されているので、水中であたかも小魚が泳いでいるように見える効果がある。
【００１１】
また請求項３記載のルアーによれば、表面を研磨した複数の貝殻片を、プラスチック片の表面に面状に配置して一体に接合したので、多様な模様を形成でき、魚の好奇心を更に引き立てることができる。
【考案を実施するための最良の形態】
【００１２】
以下本考案の実施の一形態を、図１を参照して詳細に説明する。図において１はルアーを示すもので、夜光貝、あわび貝、白鳥貝等の美しい模様の天然の貝殻の殻皮を除いた下層を研磨する。この研磨した貝殻２を、平面が横長楕円形で、側面がアーチ状に加工する。この加工した貝殻２と同形状に加工した透明なプラスチック片３の表面に、接着剤を介して前記貝殻２を一体に接合したものである。更にこの貝殻２とプラスチック片３を一体に接合した複合材の長手方向に沿った両端側に通し孔４、４を開孔し、ここにリング５を通してルアー１が形成されている。
【００１３】
上記構成のルアー１は、釣竿の先端から引き出された釣り糸の先端を、ルアー１の一方のリング５に取付け、他方のリング５に釣り針や重りを取付ける。釣人が水中にキャスティングし、ゆっくり引き寄せると、ルアー１の表面の光沢感のある貝殻２が光を反射して、キラキラと輝きながら小魚が泳いでいるように見え、魚の好奇心を引き立てる。
【００１４】
更に貝殻２の裏面に透明なプラスチック片３を貼り付けてあるので、水中を漂いながら、貝殻２の裏面のからも光沢感のある貝模様が透明なプラスチック片３を通して反射し、表裏が交互に現れて小魚が泳いでいるように見える。また貝殻２とプラスチック片３が一体になっているので、強度が向上し耐久性にも優れている。
【００１５】
またルアー１は、貝殻２の裏面に透明なプラスチック片３を一体に接合したので、全体の比重が軽くなり、水中にキャスティングしてゆっくり引き寄せると、水中に漂っている時間が長く、魚が食い付く時間が長くなり、特に流れの少ない管理釣り池や湖での釣りに好適である。
【００１６】
図２は本考案の他の実施の形態を示すもので、平面が横長楕円形で、側面をＳ字状に形成したプラスチック片３の表面に、天然の貝殻の殻皮を除いた下層を研磨したプラスチック片３と同形状の貝殻２を一体に接合したもので、水中にキャスティングして、ゆっくり引き寄せると、あたかも小魚が水中で泳いでいるように見える効果がある。
【００１７】
図３は本考案の他の実施の形態を示すもので、平面が横長楕円形で、側面をアーチ状に加工したプラスチック片３の表裏両面に、天然の貝殻の殻皮を除いて下層を研磨した貝殻２を一体に接合したものである。これは表裏両面に天然の貝殻２が貼り付けられ、浮力も小さいので、水中であたかも小魚が水中で泳いでいるように見える効果がある。
【００１８】
図４は本考案の他の実施の形態を示すもので、天然の貝殻の殻皮を除いた下層を研磨した複数の貝殻２を、平面が横長楕円形のプラスチック片３の表面に、接着剤を介して面状に張り付けたルアー１である。これは複数の貝殻２を組合せて貼り付けたので、多様な模様を形成でき、魚の好奇心を更に引き立てることができる。
【００１９】
なお上記説明ではプラスチック片３として透明なものを用いたが、半透明でも良く、また着色したものでも良い。
【図面の簡単な説明】
【００２０】
【図１】（Ａ）は本考案の実施の一形態による側面がアーチ状のルアーを示す斜視図、（Ｂ）はその断面図である。
【図２】（Ａ）は本考案の他の実施の形態による側面がＳ字状のルアーを示す斜視図、（Ｂ）はその断面図である。
【図３】本考案の他の実施の形態によるプラスチック片の両面に貝殻を一体に貼り付けたルアーの断面図である。
【図４】本考案の異なる他の実施の形態によるプラスチック片の表面に、複数の貝殻を面状に張り付けたルアーを示す平面図である。
【符号の説明】
【００２１】
１  ルアー                                                  
２  貝殻                                                    
３  プラスチック片                                          
４  通し孔                                                  
５  リング                                                  
【図１】
0003190790.tif 000003
【図２】
0003190790.tif 000004
【図３】
0003190790.tif 000005
【図４】
0003190790.tif 000006